(57)【要約】【課題】  バケットをベルトに取り付けるための取付部材が外周面に当接することがなく、騒音や振動やベルトの切断を防止でき、しかも低コストなプーリを得る。【解決手段】  プーリ２６では、本体部４５の外周面には、ベルト３０の内周側へ突出するねじ４０の頭部４４に対応する位置に、頭部４４が挿入可能な溝４６が形成されている。このため、ベルト３０の回転に伴ってバケット３２がプーリ２６の周りで反転する際には、ねじ４０の頭部４４は本体部４５の溝４６内に挿入される。これにより、ねじ４０の頭部４４が本体部４５の外周面に当接することがなく、騒音や振動やベルトの切断が防止される。しかも、このプーリ２６は、単に本体部４５の外周面に溝４６が形成された簡単な構成であるため、製造が極めて容易であり、これにより、低コスト化を図ることができる。【選択図】  図１
2006312540.tif 000002
【特許請求の範囲】
【請求項１】
支軸周りに回転可能とされ、外周側に取付部材によってバケットが取り付けられたベルトが巻き掛けられる本体部と、
前記取付部材の前記ベルト内周側突出部分に対応して前記本体部の外周面に形成され、当該突出部分が挿入可能な溝と、
を備えたプーリ。
【発明の詳細な説明】
【技術分野】
【０００１】
本発明は、バケットコンベアに適用されるプーリに関する。
【背景技術】
【０００２】
例えば、穀物乾燥装置などの穀物処理装置に適用される揚穀機は、上下に長い箱状に形成された揚穀塔を備えており、揚穀塔の内部にはバケットコンベアが配設されている。バケットコンベアは、揚穀塔内の上部と下部に配設された一対のプーリを有しており、これら一対のプーリには無端状のベルトが巻き掛けられている。ベルトの外周面には複数のバケットが取り付けられており、モータなどの駆動力により一方のプーリが駆動されることで、バケットがベルトと一体で回転される。これにより、揚穀塔の下部に供給された穀物がバケットに掬われて上方へ搬送されるようになっている。
【０００３】
ところで、上述の如きバケットコンベアでは、バケットはネジやリベット等の締結具によりベルトの外周面に取り付けられており、締結具の頭部がベルトの内周面側に突出した構成となっている。このため、締結具の頭部がプーリの外周面に当接して騒音や振動が発生するという問題があり、最悪の場合、ベルトの締結部位が締結具の頭部により切断されてバケットがベルトから脱落する可能性があった。
【０００４】
このような問題を解決するために、バケットのベルトとの当接面に締結具の頭部を埋没させるための凹部を形成した構成のバケットコンベア（例えば、特許文献１参照）や、ベルトの内周面側に締結具の頭部を収容する溝を形成した構成のバケットコンベア（例えば、特許文献２参照）が提案されている。
【０００５】
しかしながら、特許文献１及び特許文献２に示されたバケットコンベアでは、バケットに凹部を形成するための特殊な成形金型や、ベルトに溝を形成するための特殊な成形金型が必要になり、コスト高になるという問題点があった。
【特許文献１】実開昭５４−６２９６０号公報
【特許文献２】実開昭６１−７５４１１号公報
【発明の開示】
【発明が解決しようとする課題】
【０００６】
本発明は、上記事実を考慮し、バケットをベルトに取り付けるための取付部材が外周面に当接することを防止でき、しかも低コストなプーリを得ることを目的とする。
【課題を解決するための手段】
【０００７】
上記課題を解決するために、請求項１に係る発明のプーリは、支軸周りに回転可能とされ、外周側に取付部材によってバケットが取り付けられたベルトが巻き掛けられる本体部と、前記取付部材の前記ベルト内周側突出部分に対応して前記本体部の外周面に形成され、当該突出部分が挿入可能な溝と、を備えたことを特徴としている。
【０００８】
請求項１記載のプーリでは、本体部の外周面には、ベルトの内周側へ突出した取付部材の突出部分（例えば、ねじやリベットの頭部）に対応して、当該突出部分が挿入可能な溝が形成されている。このため、ベルトの回転に伴ってバケットが本体部の周りで反転する際には、取付部材の突出部分は本体部の溝内に挿入される。これにより、取付部材の突出部分が本体部の外周面に当接することが防止される。しかも、このプーリでは、単に本体部の外周面に溝が形成された簡単な構成であるため、製造が容易であり、これにより、低コスト化を図ることができる。
【発明の効果】
【０００９】
以上説明したように、本発明に係るプーリでは、バケットをベルトに取り付けるための取付部材が外周面に当接することがなく、騒音や振動やベルトの切断を防止でき、しかも低コストである。
【発明を実施するための最良の形態】
【００１０】
図４には、本発明の実施の形態に係るプーリ２２及びプーリ２６が適用されて構成された穀物乾燥装置１２の正面図が示されている。また、図３にはこの穀物乾燥装置１２の側面図が示されている。
【００１１】
この穀物乾燥装置１２は、籾、豆、麦などの穀物を所望の含水率まで乾燥させる装置であり、箱状に形成された機体１４を備えている。機体１４の正面側には揚穀機１０が設けられており、揚穀機１０は、機体１４に対して所定の間隔を有して配置された揚穀塔１６を備えている。揚穀塔１６は上下に長い箱状とされており、揚穀塔１６の下部には、張込みホッパ１８が配設されている。この張込みホッパ１８に穀物を張り込むことで、揚穀塔１６内の下端部に穀物を供給できるようになっている。
【００１２】
図２に示す如く、揚穀塔１６の内部には、バケットコンベア２０が設けられている。バケットコンベア２０は、揚穀塔１６内の上部に配置されたプーリ２２を備えている。プーリ２２は、軸心部に設けられた支軸２４を介して揚穀塔１６に回転自在に軸支されている。
【００１３】
また、バケットコンベア２０は、揚穀塔１６内の下部に配置されたプーリ２６を備えている。プーリ２６は、軸心部に設けられた支軸２８を介して揚穀塔１６に回転自在に軸支されている。このプーリ２６は、支軸２８に接続された図示しないモータの駆動力により図２の矢印Ａ方向へ回転するようになっている。
【００１４】
プーリ２２及びプーリ２６には、無端状のベルト３０が巻き掛けられており、プーリ２６が図２の矢印Ａ方向へ回転すると、ベルト３０が図２の矢印Ｂ方向へ回転されるようになっている。
【００１５】
また、ベルト３０の外周側には複数の穀物搬送用のバケット３２が一定間隔で取り付けられており、これらのバケット３２は、ベルト３０と一体で回転するようになっている。
【００１６】
ここで、図１に示す如く、各バケット３２は、自らの側壁とベルト３０とを共に貫通する複数（本実施の形態では２本）のねじ４０（取付部材）、及びこれら２本のねじ４０に螺合する２個のナット４２（取付部材）によりベルト３０に取り付けられている。２本のねじ４０は、ベルト３０の幅方向に並んでベルト３０の幅方向一端側と幅方向他端側とに配置されており、各ねじ４０の頭部４４は、ベルト３０の内周側へ所定量突出している。
【００１７】
またここで、図１に示す如く、上述したプーリ２６は、円柱状に形成されて外周面にベルト３０が巻き掛けられた本体部４５を備えている。本体部４５の外周面には、２本の溝４６が全周にわたってリング状に形成されている。これら２本の溝４６は、各バケット３２の各２本のねじ４０の各頭部４４に対応する位置（本体部４５の軸線方向一端側と軸線方向他端側）に形成されており、その深さ寸法Ｃは、頭部４４の厚さ寸法（突出量）Ｄよりも深く、その幅寸法Ｅは、頭部４４の直径（幅寸法）Ｆよりも広く形成されている。このため、ベルト３０の回転に伴って各バケット３２がプーリ２６の周りで反転する際には、各バケット３２の各２本のねじ４０の各頭部４４は、本体部４５の外周面に当接（干渉）せずに２本の溝４６内に挿入される構成となっている。
【００１８】
また、本体部４５の軸線方向両端部には、本体部４５の径方向に突出するフランジ部４８が形成されており、ベルト３０の本体部４５に対する軸線方向への移動（位置ずれ）が防止される構成となっている。
【００１９】
一方、図示は省略するが、プーリ２２もプーリ２６と基本的に同様の構成とされている。
【００２０】
以上構成のバケットコンベア２０では、図示しないモータの駆動力によりプーリ２６が回転され、これにより、ベルト３０が回転されると、揚穀塔１６の下端部に供給されて堆積した穀物がバケット３２により掬われて揚穀塔１６の上部まで持ち上げ搬送されるようになっている。
【００２１】
揚穀塔１６の上部と機体１４の上部との間には、矩形の筒状に形成された放出筒部３４が架設されている。放出筒部３４は、揚穀塔１６の上部内洞と機体１４の上部内洞とを連通しており、バケット３２により揚穀塔１６の上部まで持ち上げ搬送された穀物は、バケット３２がプーリ２２周りに反転する際に、放出筒部３４を介して機体１４内へ放出される。機体１４内へ放出された穀物は、所定の乾燥処理を施された後に、機体１４の下端部に配設された図示しないスクリューコンベアにより機体１４の正面側（揚穀塔１６側）へ搬送されるようになっている。
【００２２】
揚穀塔の下部と機体１４の下部との間には、矩形の筒状に形成された排出筒部３６が架設されている。排出筒部３６は、機体１４の下部内洞と機体１４の下部内洞とを連通しており、スクリューコンベアにより機体１４の正面側へ搬送された穀物は、排出筒部３６を介して揚穀塔１６の下部へ搬送されるようになっている。
【００２３】
次に、本実施の形態の作用について説明する。
【００２４】
上記構成の穀物乾燥装置１２では、バケットコンベア２０のプーリ２６に接続された図示しないモータが駆動されると共に図示しないスクリューコンベアなどの循環装置が駆動された状態で、張込みホッパ１８に穀物が張り込まれると、張り込まれた穀物は揚穀塔１６の下端部に堆積した後に、バケットコンベア２０のバケット３２により掬われて揚穀塔１６の上部へ搬送され、機体１４内へ放出される。機体１４内へ放出された穀物は、所定の乾燥処理を施されながら機体１４内を流下した後に、スクリューコンベアによって揚穀塔１６の下部へ搬送される。揚穀塔１６の下部へ搬送された穀物は再びバケットコンベア２０のバケット３２により掬われて揚穀塔１６の上部へ搬送され、所望の含水率に達するまで上述の循環作用を繰り返される。
【００２５】
ここで、本発明の実施の形態に係るプーリ２２及びプーリ２６では、本体部４５の外周面には、ベルト３０の内周側へ突出するねじ４０の頭部４４に対応する位置に、頭部４４が挿入可能な溝４６が形成されている。このため、ベルト３０の回転に伴って各バケット３２がプーリ２２又はプーリ２６の周りで反転する際には、ねじ４０の頭部４４は本体部４５の溝４６内に挿入される。これにより、ねじ４０の頭部４４が本体部４５の外周面に当接することがなく、騒音や振動やベルトの切断が防止される。
【００２６】
しかも、本発明の実施の形態に係るプーリ２２及びプーリ２６は、単に本体部４５の外周面に２本の溝４６が形成された簡単な構成であり、これらの溝４６は、例えば、旋盤等で簡単に切削加工できるので、製造が極めて容易であり、これにより、低コスト化を図ることができる。
【００２７】
さらに、本発明の実施の形態に係るプーリ２２及びプーリ２６では、ベルト３０は、本体部４５の軸線方向両端部に形成されたフランジ部４８によって本体部４５に対する軸線方向の位置ずれを規制されている。これにより、ねじ４０の頭部４４と本体部４５の溝４６との位置関係を常に良好に維持することができる。
【００２８】
以上説明した如く、本発明の実施の形態に係るプーリ２２及びプーリ２６では、バケット３２をベルト３０に取り付けるためのねじ４０の頭部４４が、本体部４５の外周面に当接することがなく、騒音や振動やベルトの切断を防止でき、しかも低コストである。
【００２９】
なお、上記実施の形態では、バケット３２が２本のねじ４０によりベルト３０に取り付けられた構成とし、これら２本のねじ４０の頭部４４に対応してプーリ２２及びプーリ２６の本体部４５に２本の溝４６を形成した構成としたが、これに限らず、ねじの本数や本体部の溝の本数は、適宜設定変更することができる。
【００３０】
また、上記実施の形態では、バケット３２をベルト３０に取り付けるための取付部材としてねじ４０及びナット４２を適用した構成としたが、これに限らず、取付部材としてはリベットやその他の締結具などを適用して構成してもよい。
【図面の簡単な説明】
【００３１】
【図１】本発明の実施の形態に係るプーリの構成を示す側面図である。
【図２】本発明の実施の形態に係るプーリが適用されて構成された穀物乾燥装置の部分的な構成を示す断面図である。
【図３】本発明の実施の形態に係るプーリが適用されて構成された穀物乾燥装置の構成を示す側面図である。
【図４】本発明の実施の形態に係るプーリが適用されて構成された穀物乾燥装置の構成を示す正面図である。
【符号の説明】
【００３２】
２２    プーリ
２６    プーリ
３０    ベルト
３２    バケット
４０    ねじ（取付部材）
４２    ナット（取付部材）
４４    頭部（突出部分）
４５    本体部
４６    溝
【図１】
2006312540.tif 000003
【図２】
2006312540.tif 000004
【図３】
2006312540.tif 000005
【図４】
2006312540.tif 000006